(57)【要約】      （修正有）【課題】操作感及び耐久性に優れる工具差しの提供。【解決手段】この工具差し４２は、作業ベルトに装着される本体４４と、工具が掛けられて吊される掛吊部としてのカラビナ４６と、この本体４４に固定される抑えプレート４８とを備える。この本体４４は、その一方の側に突出するように形成された湾曲部５２を備える。このカラビナ４６は、棒体５４を備える。この棒体５４は、この湾曲部５２の内側に嵌め込まれる。この抑えプレート４８は、この本体４４の他方の側からこの湾曲部５２を覆う。この抑えプレート４８は、弾性体を備える。この棒体５４は、凹部を備える。この弾性体は、凸部を備える。この凸部は、この弾性体の復元力によって、この棒体５４に向かって押されている。この棒体５４が回転することにより、この凸部がこの凹部に嵌め込まれうる。【選択図】図１
0003115994.tif 000002
【実用新案登録請求の範囲】
【請求項１】
作業ベルトに装着される本体と、工具が掛けられて吊される掛吊部と、この本体に固定される抑えプレートとを備えており、
この本体が、その一方の側に突出する湾曲部を備えており、
この掛吊部が、棒体を備えており、
この棒体が、この湾曲部の内側に嵌め込まれており、
この棒体が、凹部を備えており、
この抑えプレートが、この本体の他方の側からこの湾曲部を覆っており、
この抑えプレートが、弾性体を備えており、
この弾性体が、凸部を備えており、
この凸部が、この弾性体の復元力によって、この棒体に向かって押されており、
この棒体が回転することにより、この凸部がこの凹部に嵌め込まれうる工具差し。
【請求項２】
上記棒体が、周方向に一列に並ぶ２以上の凹部を備える請求項１に記載の工具差し。
【請求項３】
上記凸部の表面形状が、半球状である請求項１又は２に記載の工具差し。
【請求項４】
上記凹部の表面形状が、椀状である請求項１から３のいずれかに記載の工具差し。
【考案の詳細な説明】
【技術分野】
【０００１】
本考案は、工具差しに関する。詳細には、建設現場、工事現場、高所作業現場等の作業者が、工具を携帯する目的で作業ベルトに取り付ける工具差しに関する。
【背景技術】
【０００２】
建築現場の作業者は、作業の都合上、ハンマー、バール、レンチ等の工具を常に携帯する必要がある。この携帯のために、工具差し（「ツールフック」とも称されている）が用いられる。この工具差しは、作業者の腰に巻かれる作業ベルトに取り付けられる。
【０００３】
図５は、従来の工具差し２が示された斜視図である。この工具差し２は、作業ベルトに装着される本体４と、工具が掛けられて吊される掛吊部としてのカラビナ６と、この本体４に固定される抑えプレート８と、管状体１０とを備える。このカラビナ６は、上下方向に延びる棒体１２を備える。この図５において、このカラビナ６は、この本体４に対して起立している。
【０００４】
本体４は、二本のスリット１４と、この本体４の一方の側に突出する湾曲部１６とを備える。このスリット１４は、上下方向に延びる。作業ベルトは、このスリット１４に挿通される。この湾曲部１６は、この二本のスリット１４の間に配置される。この湾曲部１６は、上下方向に延びており、三に分割されている。
【０００５】
図６は、図５のVI−VI線に沿った断面図である。この図６には、湾曲部１６と、棒体１２と、抑えプレート８と、管状体１０と、球１８とが示されている。この棒体１２は、その外周面上に凹部２０を備える。この凹部２０に、球１８が嵌め込まれる。なお、この図６の下側は、この工具差し２が作業者に携帯されたときの作業者側である。
【０００６】
抑えプレート８は、開口部２２を備える。管状体１０は、円筒部２４と、この円筒部２４の両端から作業者側に向かって直線状に延びる固定部２６とを備える。この円筒部２４は、周方向に一列に並ぶ３の受け孔２８を備える。中央に配置される受け孔２８は、作業者側と１８０°反対側に位置する。中央の受け孔２８の両側に位置する受け孔２８は、この円筒部２４の軸３０が中心とされた中心角が中央の受け孔２８に対して９０°となる位置にそれぞれ配置される。この工具差し２では、この管状体１０は、折り曲げ加工されたプレートで構成される。
【０００７】
円筒部２４は、棒体１２の外側を覆う。球１８は、この円筒部２４とこの棒体１２との間に位置しており、中央の受け孔２８に嵌っている。
【０００８】
固定部２６は、開口部２２を挿通する。左右の固定部２６は、この開口部２２の左右の側面３２をそれぞれ押している。この固定部２６の作業者側の端３４は、外側に折り曲げられている。このため、管状体１０が、開口部２２から抜けることはない。この工具差し２では、カラビナ６は、この管状体１０が用いられることにより抑えプレート８に固定される。
【０００９】
その外側を円筒部２４で覆われた棒体１２は、湾曲部１６の内側に嵌め込まれる。抑えプレート８は、本体４の他方の側からこの湾曲部１６を覆う。この棒体１２は、その軸３８が中心とされて回転する。図５に示されているように、この抑えプレート８は、その４隅のカシメによるリベット止め３６で本体４に固定される。この工具差し２では、この棒体１２の軸３８の位置と、円筒部２４の軸３０の位置とは、ほぼ一致する。なお、図６中、両矢印線Ａは、この棒体１２の回転方向を表している。
【００１０】
棒体１２の回転方向に力が付与されると、球１８が受け孔２８から外れる。球１８が受け孔２８から外れると、この棒体１２は回転する。この棒体１２の回転に伴い、球１８は凹部２０に嵌め込まれた状態で移動し、隣の受け孔２８に嵌る。受け孔２８に球１８が嵌ると、棒体１２の回転が再び止まる。受け孔２８から球１８が外れる程度の力がこの棒体１２の回転方向に付与されなければ、この棒体１２が回転することはない。
【００１１】
この工具差し２では、中央の受け孔２８に球１８が嵌り込むと、カラビナ６は本体４に対して起立し、この状態で保持される。棒体１２が回転して球１８がこの受け孔２８の両側に位置する受け孔２８に嵌り込むと、カラビナ６は倒れ、この状態で保持される。この工具差し２では、作業者の必要に応じて、作業者がカラビナ６を立てたり倒したりできる。
【考案の開示】
【考案が解決しようとする課題】
【００１２】
この工具差し２では、作業者の必要に応じて、カラビナ６が本体４に対して起立されたり倒されたりする。このとき、球１８と受け孔２８の端部４０との接触が繰り返される上に、この受け孔２８に応力が集中するので、管状体１０がこわれやすいという問題がある。
【００１３】
この工具差し２では、球１８が凹部２０に保持されるために、管状体１０が必要とされる。このような工具差し２の部品点数は多い。この球１８がこの凹部２０に保持されつつ、この工具差し２が組み立てられることは難しい。この工具差し２では、その部品点数が多い上に、その組み立てに時間がかかってしまう。このような工具差し２の生産コストは、高い。生産コストの高い製品は、市場競争力に劣る。
【００１４】
この工具差し２では、管状体１０は折り曲げ加工されたプレートである。このため、この管状体１０による棒体１２の締め付け力は弱い。このような工具差し２では、棒体１２の回転抵抗が小さいので、作業者の意図と無関係に、カラビナ６が起立したり倒れたりするという問題がある。
【００１５】
本考案の目的は、操作感及び耐久性に優れる工具差しの提供にある。
【課題を解決するための手段】
【００１６】
本考案に係る工具差しは、作業ベルトに装着される本体と、工具が掛けられて吊される掛吊部と、この本体に固定される抑えプレートとを備える。この本体は、その一方の側に突出する湾曲部を備える。この掛吊部は、棒体を備える。この棒体は、この湾曲部の内側に嵌め込まれる。この棒体は、凹部を備える。この抑えプレートは、この本体の他方の側からこの湾曲部を覆う。この抑えプレートは、弾性体を備える。この弾性体は、凸部を備える。この凸部は、この弾性体の復元力によって、この棒体に向かって押されている。この棒体が回転することにより、この凸部はこの凹部に嵌め込まれうる。
【００１７】
好ましくは、この工具差しでは、上記棒体は、周方向に一列に並ぶ２以上の凹部を備える。好ましくは、この工具差しでは、上記凸部の表面形状は、半球状である。好ましくは、この工具差しでは、上記凹部の表面形状は、椀状である。
【考案の効果】
【００１８】
この工具差しでは、凸部が凹部を押す力は、棒体の回転抵抗として作用する。このため、この回転抵抗を上回る力が付与されなければ、棒体は回転しない。この工具差しでは、弾性体の厚み、折れ曲がり形状等が考慮されて、この回転抵抗が適宜制御されうる。この工具差しは、本体と、掛吊部と、抑えプレートとからなる３の部品で構成される。従来の工具差しのように、その構成部品に球及び管状体が用いられないので、この工具差しは耐久性に優れる。部品点数が少ない上に、組立が簡単であるので、この工具差しの生産コストは低い。生産コストの低い工具差しは、市場競争力に優れる。
【考案を実施するための最良の形態】
【００１９】
以下、適宜図面が参照されつつ、好ましい実施形態に基づいて本考案が詳細に説明される。
【００２０】
図１は、本考案の一実施形態に係る工具差し４２が示された斜視図である。この工具差し４２は、本体４４と、掛吊部としてのカラビナ４６と、抑えプレート４８とを備える。
【００２１】
本体４４は、二本のスリット５０と、この本体４４の一方の側に突出するように形成された湾曲部５２とを備える。この本体４４は、作業ベルトに装着される。このスリット５０は、上下方向に延びる。作業ベルトは、このスリット５０に挿通される。この湾曲部５２は、この二本のスリット５０の間に配置されている。この湾曲部５２は、上下方向に延びており、二に分割されている。
【００２２】
カラビナ４６は、上下方向に延びる棒体５４を備える。このカラビナ４６に、工具が掛けられて吊される。なお、掛吊部として、このカラビナ４６に代えて、フック、リング等が用いられてもよい。
【００２３】
図２は、図１の工具差し４２が示された背面図である。この図２には、カラビナ４６と、本体４４と、抑えプレート４８とが示されている。この抑えプレート４８は、この本体４４の他方の側から湾曲部５２を覆う。この抑えプレート４８は、枠体５６と、この枠体５６の内側に上下方向に延びる弾性体５８とを備える。この弾性体５８の下側は、この枠体５６に連接する。この抑えプレート４８は、その４隅において、カシメによるリベット止め６０でこの本体４４に固定される。この抑えプレート４８が、ボルト及びナット、溶接等の他の固定手段でこの本体４４に固定されてもよい。なお、この図２では、紙面の手前側が作業者側である。
【００２４】
図３は、図２のIII−III線に沿った断面図である。この図３では、紙面の左側が作業者側である。この図３には、棒体５４と、抑えプレート４８と、湾曲部５２とが示されている。この弾性体５８は、その上側に棒体５４の側に突出する凸部６２を備える。この弾性体５８は、その上側においてジグザグ状に折り曲げられて、この凸部６２の先端６４がこの枠体５６よりも棒体５４の側に突出している。この凸部６２の表面形状は、半球状である。
【００２５】
図４は、図２のIV−IV線に沿った断面図である。この図４の下側が作業者側である。この図４には、棒体５４と、抑えプレート４８と、湾曲部５２とが示されている。この棒体５４は、湾曲部５２の内側に嵌め込まれる。この棒体５４は、この湾曲部５２と、抑えプレート４８とで囲まれる。この棒体５４は、その軸６６が中心とされて回転する。この棒体５４は、その外周面６８に、３の凹部７０を備える。この３の凹部７０は、この棒体５４の周方向に一列に並ぶ。この凹部７０に、凸部６２が嵌まる。この明細書では、この３の凹部７０の内、中央に位置する凹部７０が中央凹部７２である。この中央凹部７２の左側に位置する凹部７０が、左凹部７４である。この中央凹部７２の右側に位置する凹部７０が、右凹部７６である。この図４には、この中央凹部７２に凸部６２が嵌合している状態が示されている。この工具差し４２では、この中央凹部７２に凸部６２が嵌まると、カラビナ４６が本体４４に対して起立する。なお、この棒体５４が、２の凹部７０を備えてもよい。この棒体５４が４以上の凹部７０を備えてもよい。なお、この図４において、両矢印線Ａは、この棒体５４の回転方向を表している。
【００２６】
この工具差し４２では、左凹部７４と右凹部７６とは、この棒体５４の軸６６が中心とされた中心角が中央凹部７２に対して９０°となる位置にそれぞれ配置される。従って、この中央凹部７２が中心とされてこの棒体５４が左に９０°回転することにより、この凸部６２はこの左凹部７４に嵌る。この棒体５４が右に９０°回転することにより、この凸部６２はこの右凹部７６に嵌る。この凸部６２がこの左凹部７４又は右凹部７６に嵌ると、カラビナ４６は倒れる。
【００２７】
この工具差し４２は、凸部６２が凹部７０に嵌った状態において、弾性体５８が撓むように構成されている。この弾性体５８は撓むと、この撓みが解消されうるように作用する復元力がこの弾性体６６に生じる。この工具差し４２では、この弾性体５８の復元力によって、この凸部６２はこの棒体５４に向かって押されている。このため、凸部が凹部に嵌ると、この凸部はこの凹部７０を押す。
【００２８】
凸部６２が凹部７０を押す力は、棒体５４の回転抵抗として作用する。この回転抵抗を上回る力がこの棒体５４の回転方向に付与されなければ、この棒体５４は回転しない。この工具差し４２では、この回転抵抗は、弾性体５８の厚み、折れ曲がり形状等が考慮されて適宜制御されうる。管状体１０の締め付け力で回転抵抗が制御される従来の工具差し２に比べて、この工具差し４２の回転抵抗は大きく設定されうる。従って、この工具差し４２では、作業者の意図と無関係に、カラビナ４６が倒れたり起立したりすることはない。この工具差し４２は、操作感に優れる。
【００２９】
凸部６２が凹部７０から外れて棒体５４が回転するとき、この凸部６２は棒体５４の外周面６８と接触する。この工具差し４２では、凸部６２の先端６４が枠体５６よりも棒体５４の側に突出しているので、この凸部６２とこの外周面６８とが接触する場合においても、弾性体５８は撓む。弾性体５８が撓んでいるので、この弾性体５８には復元力が生じている。このため、棒体５４の回転時においても、この弾性体５８の復元力によって、この凸部６２は棒体５４に向かって押されている。このため、この凸部６２は、この外周面６８を押す。従って、この工具差し４２では、回転している棒体５４ががたつくことはない。
【００３０】
凹部７０の表面形状は、椀状である。前述したように、この凸部６２の表面形状は半球状である。弾性体５８は、この凸部６２の棒体５４との接触状態に応じてこの棒体５４に向かってこの凸部を押しつつ撓む。このため、この棒体５４が回転されるとき、この凸部６２は凹部７０から滑らかに外れる。そして、この凸部６２と凹部７０との接触で、これらが壊れることはない。従って、この工具差し４２は、耐久性に優れる。
【００３１】
図１に示されるように、棒体５４はストッパー７８を備える。このストッパー７８は、上下に分割された湾曲部５２の間に位置する。この工具差し４２はこのストッパー７８と湾曲部５２との間の隙間が小さくなるように構成されているので、この棒体５４が上下に動くことはない。この棒体５４が回転すると、このストッパー７８は抑えプレート４８に接触する。このストッパー７８がこの抑えプレート４８に接触すると、この棒体５４は回転できなくなる。このようにして、この工具差し４２では、この棒体５４の不要な回転が防止される。このストッパー７８は、この棒体５４の上下への抜け止めであると同時に、回転止めである。図３に示されるように、このストッパー７８は、この棒体５４に打ち込まれている。図４に示されているように、このストッパー７８は、中央凹部７２の１８０°反対側に配置される。
【００３２】
この工具差し４２の製造は、次の通りである。まず、本体４４と抑えプレート４８とが、金属製の板材の板金プレスで所定の大きさ及び形状に加工される。弾性体５８のジグザグ状の折り曲げ加工及び凸部６２の形成も、この板金プレスで行われる。次にカラビナ４６の棒体５４の所定位置に、ポンチ等の打刻治具で凹部７０が形成される。そして、この棒体５４が本体４４の湾曲部５２に嵌め込まれて、この棒体５４の外側からこの湾曲部５２が抑えプレート４８で塞がれる。最後に、抑えプレート４８の４隅が、リベット止め６０で、本体４４に固定される。このようにして、この工具差し４２は製造される。この凸部６２が、その先端６４が半球状とされたピンがこの弾性体５８に取り付けられることにより形成されてもよい。この凸部６２及び凹部７０が、旋盤等による切削加工で形成されてもよい。
【００３３】
この工具差し４２では、従来の工具差し２のように球１８及び管状体１０が用いられないので、部品点数が少ない上に、組立が簡単である。組立が簡単である工具差し４２の組立時間は、短い。このため、この工具差し４２の生産コストは低い。生産コストの低い工具差し４２は、市場競争力に優れる。
【００３４】
工具差し４２は、通常は、金属材料、合成樹脂材料等から構成される。好ましい金属材料としては、アルミニウム合金、スチール及びステンレススチールが例示される。耐食性の観点から、アルミニウム合金及びステンレススチールが好ましい。軽量化の観点から、アルミニウム合金が好ましい。耐食性向上の目的で、工具差し４２の表面にメッキ、塗装等の表面処理が施されてもよい。
【産業上の利用可能性】
【００３５】
本考案に係る工具差しは、作業で用いられる工具以外に、日用携行品の携帯にも用いられうる。
【図面の簡単な説明】
【００３６】
【図１】図１は、本考案の一実施形態に係る工具差しが示された斜視図である。
【図２】図２は、図１の工具差しが示された背面図である。
【図３】図３は、図２のIII−III線に沿った断面図である。
【図４】図４は、図２のIV−IV線に沿った断面図である。
【図５】図５は、従来の工具差しが示された斜視図である。
【図６】図６は、図５のVI−VI線に沿った断面図である。
【符号の説明】
【００３７】
２、４２・・・工具差し
４、４４・・・本体
６、４６・・・カラビナ
８、４８・・・抑えプレート
１０・・・管状体
１２、５４・・・棒体
１４、５０・・・スリット
１６、５２・・・湾曲部
１８・・・球
２０、７０・・・凹部
２２・・・開口部
２４・・・円筒部
２６・・・固定部
２８・・・受け孔
３０、３８、６６・・・軸
３２・・・側面
３４・・・端
３６、６０・・・リベット止め
４０・・・端部
５６・・・枠体
５８・・・弾性体
６２・・・凸部
６４・・・先端
６８・・・外周面
７２・・・中央凹部
７４・・・左凹部
７６・・・右凹部
７８・・・ストッパー
【図１】
0003115994.tif 000003
【図２】
0003115994.tif 000004
【図３】
0003115994.tif 000005
【図４】
0003115994.tif 000006
【図５】
0003115994.tif 000007
【図６】
0003115994.tif 000008